(57)【要約】【課題】故人の生前の姿を参列者に対して鮮明に想い起こさせ、葬儀を故人と参列者をつなぐ荘厳なイベントとして表現することができる葬儀用装飾装置を提供する。【解決手段】故人の生前の姿を写真やデジタルデータから拡大した写真を印刷することで表示した印刷パネル２を作成し、この印刷パネル２を葬儀会場の入口、受付け、舞台等の適所に起立又は吊り下げた状態で配置して葬儀用装飾装置１とすることにより、参列者に対して、故人の生前の元気な姿を想い浮かばせて生前の親交を懐かしむには十分な演出効果を発揮する。【選択図】図１
0003133756.tif 000002
【実用新案登録請求の範囲】
【請求項１】
故人の生前の姿を表示した印刷パネルを作成し、この印刷パネルを葬儀会場の内外適所に起立又は吊り下げて配置するようにした葬儀用装飾装置。
【請求項２】
上記印刷パネルは、故人の生前の姿を写した写真やデジタルデータを基に作成した印刷物で形成され、この印刷パネルを起立状に支えるため、印刷パネルの背面に支え脚が設けられている請求項１に記載の葬儀用装飾装置。
【請求項３】
上記印刷パネルは、故人の生前の姿を写した写真やデジタルデータを基に作成した印刷物で形成され、この印刷パネルを起立状に配置するため、印刷パネルがポールスタンドに取付けられている請求項１に記載の葬儀用装飾装置。
【請求項４】
上記印刷パネルは、印刷物の周囲が人物の輪郭に沿ってカットされ、人物が略等身大の大きさになっている請求項１乃至３の何れかに記載の葬儀用装飾装置。
【請求項５】
故人の生前の姿を写した写真やデジタルデータを基に印刷して作成した生地印刷シートと、この生地印刷シートを張設する取り付け部材で形成され、この取り付け部材に張設した生地印刷シートを葬儀会場の内外適所に起立又は吊り下げて配置するようにした葬儀用装飾装置。
【請求項６】
上記生地印刷シートが、生地印刷シートを張設した取り付け部材を介して、起立状に配置するためのポールスタンドに取付けられている請求項５に記載の葬儀用装飾装置。
【考案の詳細な説明】
【技術分野】
【０００１】
この考案は、葬儀会場で葬儀を執り行うときに、葬儀会場の入口や受付け、祭壇を設けた舞台等に設置する葬儀用装飾装置に関する。
【背景技術】
【０００２】
一般的な仏式の葬儀は、葬儀会場の前部に設けた舞台の中央に祭壇を設置し、この祭壇の両側に生花を盛り付けると共に、灯篭や照明灯等の各種装飾具を配置し、舞台全体に荘厳感を醸し出すことにより、故人に対する畏敬の念を表現するようにしている。
【０００３】
従来、葬儀を執り行う場合、祭壇に故人の生前の顔写真を飾ることにより、故人の徳を偲ぶ一助にしている。
【考案の開示】
【考案が解決しようとする課題】
【０００４】
ところで、葬儀の参列者にとって葬儀は故人との最後の別れになり、このため、故人の生前の姿を想い浮かべて生前の親交を懐かしむことになるが、祭壇に飾られた生前の顔写真だけでは、生前の姿を想い起こさせるための手段としてインパクトに欠け、葬儀が単なる儀式の場となっているのが現状である。
【０００５】
そこで、この考案の課題は、故人の生前の姿を参列者に対して鮮明に想い起こさせることができ、葬儀を故人と参列者をつなぐ荘厳なイベントとして表現することができる葬儀用装飾装置を提供することにある。
【課題を解決するための手段】
【０００６】
上記の課題を解決するため、この考案は、故人の生前の姿を表示した印刷パネルを作成し、この印刷パネルを葬儀会場の内外適所に起立又は吊り下げて配置するようにした構成を採用したものである。
【０００７】
上記印刷パネルは、故人の生前の姿を写した写真やデジタルデータを基に作成した印刷物で形成され、この印刷パネルを起立状に支えるため、印刷パネルの背面に支え脚が設けられている構造とすることができる。
【０００８】
また、上記印刷パネルは、故人の生前の姿を写した写真やデジタルデータを基に作成した印刷物で形成され、この印刷パネルを起立状に配置するため、印刷パネルがポールスタンドに取付けられている構造とすることができる。
【０００９】
更に、上記印刷パネルは、印刷物の周囲が人物の輪郭に沿ってカットされ、人物が略等身大の大きさになっているようにすることができる。
【００１０】
また、故人の生前の姿を写した写真やデジタルデータを基に印刷して作成した生地印刷シートと、この生地印刷シートを張設する取り付け部材で形成され、この取り付け部材に張設した生地印刷シートを葬儀会場の内外適所に起立又は吊り下げて配置するようにした構造にしてもよい。
【００１１】
また、上記生地印刷シートが、生地印刷シートを張設した取り付け部材を介して、起立状に配置するためのポールスタンドに取付けられている構造とすることができる。
【００１２】
ここで、上記印刷パネルは、故人の写真やデジタルデータを基に、これを略等身大に拡大して印刷した印刷物であり、印刷したシートを、スチレンボード、厚紙、薄板等の背板に貼り付けたり、前記ボード、厚紙、薄板等に直接印刷することによって形成し、また、生地印刷シートの場合は、防炎性生地に略等身大に拡大した故人の写真を直接印刷し、これを取付け部材に面ファスナー等で取付けて張設する。
【００１３】
また、葬儀用装飾装置は、葬儀会場の入口、受付け、祭壇を設置した舞台の両側等、参列者の目の付きやすい位置に設置又は吊り下げて配置し、故人の生前の姿を参列者に想い起こさせるようにする。
【考案の効果】
【００１４】
この考案によると、故人の生前の姿を表示した印刷パネル又は生地印刷シートを葬儀会場の内外適所に起立又は吊り下げて配置することにより、葬儀会場の入口や受付け、舞台の正面に故人が生前の姿で立っている感じとなり、故人の生前の姿を参列者に対して目と心に強烈に焼き付けることができ、故人の生前の姿を想い浮かべて生前の親交を懐かしむには十分な演出効果を発揮することができる。
【００１５】
また、人物の輪郭に沿って周囲がカットされ、人物が略等身大の大きさになっている印刷パネルは、一層リアルに故人の生前の姿を表現することができ、葬儀を故人と参列者をつなぐ荘厳なイベントとして表現することができる。
【考案を実施するための最良の形態】
【００１６】
以下、この考案の実施の形態を図示例に基づいて説明する。
【００１７】
図１に示す第１の例の葬儀用装飾装置１は、故人の生前の姿を表示した略等身大の印刷パネル２を作成し、このパネル２が葬儀会場の入口、受付け、祭壇３と既存の各種装飾具４を設置した舞台等の適所に起立又は吊り下げ配置するようにした構造になっている。
【００１８】
上記印刷パネル２は、故人の生前の姿を各種カメラやビデオで写した写真や、デジタルカメラで撮影したデジタルデータを基に拡大して等身大の写真を印刷（コピー）した印刷シート５を、スチレンボード、厚紙、薄板等の背板６の表面に貼り合わせて形成された印刷物であり、この印刷パネル２を起立状に支えるため前記背板６の背面に背板６と同様の材料からなる支え脚７が設けられている。
【００１９】
また、印刷パネル２は、上記印刷シート５を省き、スチレンボード、厚紙、薄板等の表面に直接等身大の写真を印刷して形成することもできる。
【００２０】
上記印刷物に印刷する故人の生前の姿は、全身の立ったポーズだけでなく、背景や道具類を含むようにしたり、趣味や職業等に関連のある姿でもよく、また、全身だけでなく、上半身であってもよい。
【００２１】
図１（ａ）の印刷パネル２は、印刷物を人物の輪郭に沿って周囲がカットされ、図１（ｂ）の印刷パネル２は、上下に長い長方形としたものである。
【００２２】
図２に示す第２の例の葬儀用装飾装置１は、故人の生前の姿を写した写真やデジタルデータを基に等身大に拡大した写真を直接印刷した上下に長い長方形の生地印刷シート８と、この生地印刷シート８を張設する取付け部材９で形成され、この取付け部材９がポールスタンド１０で起立支持されている。なお、大きな葬儀会場で使用する場合、写真は、等身大よりも大きな１．５倍や２倍の大きさに拡大して印刷するようにしてもよい。
【００２３】
図２の場合、取付け部材９は、生地印刷シート８の大きさに対応するフラットなプレートを用い、これに生地印刷シート８を貼り付ける枠状に形成したが、図４のように、取付け部材９を省き、ベース１１に立設した伸縮支柱１２と上下の横桟１３、１４で組み立ててポールスタンド１０を形成し、これに、生地印刷シート８の上下端部を上下の横桟１３、１４に、面ファスナーや押さえ金物等を用いて取付けることにより、生地印刷シート８を直接張設状態に取付けるようにしてもよい。
【００２４】
また、図３は第２の例の変形例であり、ポールスタンド１０が、ベース１５に立設した支柱１６の上端に角度可変取り付け具１７を設けて形成され、角度可変取り付け具１７に取付け部材９の背面側を取付けることにより、生地印刷シート８の起立角度を可変としたものである。
【００２５】
このようなポールスタンド１０には、図１で示した印刷パネル２を用い、その支え脚７を省いた状態で取り付けて葬儀用装飾装置１とすることができる。
【００２６】
この考案の葬儀用装飾装置は上記のような構成であり、図４と図５に示すように、葬儀会場の入口や受付け、祭壇３を設置した舞台等の適所で、参列者の目につきやすい場所に葬儀用装飾装置１を起立状態で配置したり、図７のように、印刷パネル２や生地印刷シート８を天井等から吊り下げることにより配置して葬儀を執り行う。
【００２７】
葬儀用装飾装置１を、葬儀会場の入口や受付け、祭壇３を設置した舞台等に起立又は吊り下げ状態で配置すると、印刷パネル２や生地印刷シート８の表面に印刷した拡大写真により、葬儀会場に故人が生前の姿で立っている感じとなり、故人の生前の姿を参列者に対して目と心に強烈に焼き付けることができ、故人の生前の姿を想い浮かべて生前の親交を懐かしむには十分な演出効果を発揮し、葬儀を故人と参列者をつなぐ荘厳なイベントとして表現することができる。
【図面の簡単な説明】
【００２８】
【図１】この考案に係る葬儀用装飾装置の第１の例を示し、（ａ）は印刷パネルを人物の輪郭に沿って周囲がカットされた葬儀用装飾装置の斜視図、（ｂ）は印刷パネルを上下に長い長方形とした葬儀用装飾装置の斜視図、（ｃ）は第１の例の葬儀用装飾装置を示す縦断側面図
【図２】（ａ）は第２の例の葬儀用装飾装置を示す斜視図、（ｂ）は同縦断側面図
【図３】（ａ）は第２の例の変形例を示す葬儀用装飾装置を示す斜視図、（ｂ）は同縦断側面図
【図４】ポールスタンドを用いたこの考案に係る葬儀用装飾装置を示す側面図
【図５】この考案に係る葬儀用装飾装置を起立配置して使用した葬儀会場の正面図
【図６】葬儀会場の葬儀用装飾装置を拡大した正面図
【図７】この考案に係る葬儀用装飾装置を吊り下げ使用した葬儀会場の正面図
【符号の説明】
【００２９】
１        葬儀用装飾装置
２        印刷パネル
３        祭壇
４        装飾具
５        印刷シート
６        背板
７        支え脚
８        生地印刷シート
９        取付け部材
１０      ポールスタンド
【図１】
0003133756.tif 000003
【図２】
0003133756.tif 000004
【図３】
0003133756.tif 000005
【図４】
0003133756.tif 000006
【図５】
0003133756.tif 000007
【図６】
0003133756.tif 000008
【図７】
0003133756.tif 000009
【手続補正書】
【提出日】平成19年5月21日(2007.5.21)
【手続補正１】
【補正対象書類名】実用新案登録請求の範囲
【補正対象項目名】全文
【補正方法】変更
【補正の内容】
【実用新案登録請求の範囲】
【請求項１】
葬儀会場の内外適所に起立又は吊り下げて配置する葬儀用装飾装置であって、前記葬儀用装飾装置が印刷パネルを用いて形成され、この印刷パネルに故人の生前の姿を表示した葬儀用装飾装置。
【請求項２】
上記印刷パネルは、故人の生前の姿を写した写真やデジタルデータを基に作成した印刷物で形成され、この印刷パネルを起立状に支えるため、印刷パネルの背面に支え脚が設けられている請求項１に記載の葬儀用装飾装置。
【請求項３】
上記印刷パネルは、故人の生前の姿を写した写真やデジタルデータを基に作成した印刷物で形成され、この印刷パネルを起立状に配置するため、印刷パネルがポールスタンドに取付けられている請求項１に記載の葬儀用装飾装置。
【請求項４】
上記印刷パネルは、印刷物の周囲が人物の輪郭に沿ってカットされ、人物が略等身大の大きさになっている請求項１乃至３の何れかに記載の葬儀用装飾装置。
【請求項５】
葬儀会場の内外適所に起立又は吊り下げて配置する葬儀用装飾装置であって、前記葬儀用装飾装置が、故人の生前の姿を写した写真やデジタルデータを基に印刷して作成した生地印刷シートと、この生地印刷シートを張設する取り付け部材で形成されている葬儀用装飾装置。
【請求項６】
上記生地印刷シートが、生地印刷シートを張設した取り付け部材を介して、起立状に配置するためのポールスタンドに取付けられている請求項５に記載の葬儀用装飾装置。
【手続補正２】
【補正対象書類名】明細書
【補正対象項目名】０００６
【補正方法】変更
【補正の内容】
【０００６】
上記のような課題を解決するため、この考案は、葬儀会場の内外適所に起立又は吊り下げて配置する葬儀用装飾装置であって、前記葬儀用装飾装置が印刷パネルを用いて形成され、この印刷パネルに故人の生前の姿を表示した構成を採用したものである。
【手続補正３】
【補正対象書類名】明細書
【補正対象項目名】００１０
【補正方法】変更
【補正の内容】
【００１０】
また、葬儀会場の内外適所に起立又は吊り下げて配置する葬儀用装飾装置であって、前記葬儀用装飾装置が、故人の生前の姿を写した写真やデジタルデータを基に印刷して作成した生地印刷シートと、この生地印刷シートを張設する取り付け部材で形成されている構造にしてもよい。